(57)【要約】【課題】放電電極で発生した正イオンと負イオンとの結合による消滅を抑制できるイオン発生装置を提供する。【解決手段】イオン発生装置２０は、基板２１と、第１放電電極２２と、第２放電電極２３とを備えている。基板２１は、表面２１ａと、裏面２１ｂと、側面２１ｃとを有している。第１放電電極２２は、放電により正イオンを発生する。第２放電電極２３は、放電により負イオンを発生する。第１放電電極２２は、基板２１の表面２１ａ上に搭載されている。第２放電電極２３は、基板２１の裏面２１ｂ上に搭載されている。【選択図】図３
2016139546.tif 000002
【特許請求の範囲】
【請求項１】
表面と裏面と側面とを有する基板と、
前記表面上に搭載され、放電により正イオンを発生する第１放電電極と、
前記裏面上に搭載され、放電により負イオンを発生する第２放電電極と、を備える、イオン発生装置。
【請求項２】
前記基板の内部に埋め込まれ、前記基板よりも高い絶縁耐圧を有する絶縁材を備える、請求項１に記載のイオン発生装置。
【請求項３】
前記側面に、周方向に沿って窪んだスリット溝が形成されている、請求項１または２に記載のイオン発生装置。
【請求項４】
前記表面および前記裏面の面方向に、前記第１放電電極と前記第２放電電極とをずらして配置した、請求項１〜３のいずれか１項に記載のイオン発生装置。
【請求項５】
前記第１放電電極は、前記表面と平行に延びる先端部を有し、
前記第２放電電極は、前記裏面と平行に延びる先端部を有する、請求項１〜４のいずれか１項に記載のイオン発生装置。
【請求項６】
前記第１放電電極の前記先端部と、前記第２放電電極の前記先端部とは、平行に配置されており、
前記第１放電電極の尖端と前記第２放電電極の尖端とは同方向に向く、請求項５に記載のイオン発生装置。
【請求項７】
送風機と、
前記送風機の発生した気流が流れる空気通路と、
前記空気通路内に配置された、請求項１〜６のいずれかに記載のイオン発生装置とを備える、電気機器。
【発明の詳細な説明】
【技術分野】
【０００１】
本発明は、イオン発生装置および電気機器に関し、特に、放電電極を備えるイオン発生装置と、そのイオン発生装置を用いた電気機器とに関する。
【背景技術】
【０００２】
従来、室内の空気の浄化、殺菌または消臭などを行なうために、イオン発生装置が利用されている。イオン発生装置の多くは、コロナ放電により正イオンおよび負イオンを発生させている。
【０００３】
特開２０１０−４４９１７号公報（特許文献１）には、基板の同一面に正負の針電極の両方を配置し、２つの針電極間の距離を大きくすることで正イオンと負イオンとの結合によるイオン消滅量を低減する、イオン発生装置が開示されている。
【先行技術文献】
【特許文献】
【０００４】
【特許文献１】特開２０１０−４４９１７号公報
【発明の概要】
【発明が解決しようとする課題】
【０００５】
上記文献に開示されたイオン発生装置において、イオン発生装置の発生する正負のイオン濃度を高めようとするときには、発生した正負イオンの結合を抑制するために、針状の放電電極間の距離をより大きくする必要がある。しかし、イオン発生装置の小型化のため、放電電極間の距離を大きくするにも限界がある。さらに、放電電極間の距離を大きくしたとしても、放電電極付近での正負イオンの結合を完全に防ぐのは困難である。
【０００６】
本発明の目的は、放電電極で発生した正イオンと負イオンとの結合による消滅を抑制できる、イオン発生装置を提供することである。
【課題を解決するための手段】
【０００７】
本発明に係るイオン発生装置は、基板と、第１放電電極と、第２放電電極とを備えている。基板は、表面と、裏面と、側面とを有している。第１放電電極は、放電により正イオンを発生する。第２放電電極は、放電により負イオンを発生する。第１放電電極は、基板の表面上に搭載されている。第２放電電極は、基板の裏面上に搭載されている。
【０００８】
上記イオン発生装置は、好ましくは、基板よりも高い絶縁耐圧を有する絶縁材を備えている。絶縁材は、基板の内部に埋め込まれている。
【０００９】
上記イオン発生装置において好ましくは、基板の側面に、周方向に沿って窪んだスリット溝が形成されている。
【００１０】
上記イオン発生装置において好ましくは、第１放電電極と第２放電電極とを、表面および裏面の面方向にずらして配置している。
【００１１】
上記イオン発生装置において好ましくは、第１放電電極は、基板の表面と平行に延びる先端部を有し、第２放電電極は、基板の裏面と平行に延びる先端部を有している。
【００１２】
上記イオン発生装置において好ましくは、第１放電電極の先端部と、第２放電電極の先端部とは、平行に配置されており、第１放電電極の尖端と第２放電電極の尖端とは同方向に向いている。
【００１３】
本発明に係る電気機器は、送風機と、送風機の発生した気流が流れる空気通路と、空気通路内に配置された、上記のいずれかの局面のイオン発生装置とを備えている。
【発明の効果】
【００１４】
本発明によると、放電電極で発生した正イオンと負イオンとの結合による消滅を抑制することができる。
【図面の簡単な説明】
【００１５】
【図１】実施の形態のヘアドライヤーの外観斜視図である。
【図２】図１に示すヘアドライヤーの内部構成の概略を示す断面図である。
【図３】実施の形態１のイオン発生装置の構成の概略を示す模式図である。
【図４】放電電極の根元部の構成の第１の例を示す断面図である。
【図５】放電電極の根元部の構成の第２の例を示す断面図である。
【図６】イオン発生装置の構成を示す回路図である。
【図７】実施の形態２のイオン発生装置の構成の概略を示す部分断面図である。
【図８】実施の形態３のイオン発生装置の構成の概略を示す模式図である。
【図９】実施の形態３のイオン発生装置を構成している基板の斜視図である。
【図１０】実施の形態４のイオン発生装置の構成の概略を示す模式図である。
【図１１】実施の形態５のイオン発生装置の空気通路内の配置を示す模式図である。
【図１２】実施の形態６のイオン発生装置の構成の概略を示す模式図である。
【発明を実施するための形態】
【００１６】
以下、本発明の実施形態について図に基づいて説明する。
まず本発明の実施形態における電気機器の構成について説明する。以下、本発明の思想を適用可能な電気機器の一例であるヘアドライヤーについて説明するが、本発明の電気機器はヘアドライヤーに限られない。本発明は、たとえば空気清浄機、空気調和機、換気装置、冷蔵庫、洗濯機、掃除機、乾燥機、除湿機、加湿器、ファンヒータ、扇風機またはその他の任意の電気機器に適用可能である。
【００１７】
（実施の形態１）
図１は、本実施の形態のヘアドライヤー１の外観斜視図である。図１に示すように、ヘアドライヤー１は、使用者が把持する把持部１０と、把持部１０に着脱可能に連結されるブラシ部３０とを備えている。ブラシ部３０には、多数のブラシ毛３１が列状に設けられている。
【００１８】
ブラシ毛３１の周囲には、吹出口３３が形成されている。吹出口３３は、ブラシ毛３１の間に列状に設けられている吹出口３３ａと、ブラシ部３０の両側面に設けられている吹出口３３ｂとを含んでいる。
【００１９】
把持部１０の軸方向における一端から電源コード１７が導出されている。電源コード１７の周囲には、吸込口１５が形成されている。
【００２０】
把持部１０のブラシ部３０側の端部には、操作部１２が設けられている。操作部１２は、後述する送風機３およびイオン発生装置２０を操作するための操作スイッチ１８と、後述するヒータ４を操作するための操作スイッチ１９とを有している。
【００２１】
図２は、図１に示すヘアドライヤー１の内部構成の概略を示す断面図である。図２に示すように、ヘアドライヤー１は中空に形成されており、その内部空間が空気通路２９を構成している。空気通路２９は、図１に示す把持部１０およびブラシ部３０の内部に形成されており、吸込口１５と吹出口３３とを連通している。
【００２２】
空気通路２９内には、吸込口１５に面して、送風機３が配置されている。送風機３は、送風機モータにより駆動される軸流ファンを有している。送風機３を遠心ファンにより形成してもよい。送風機３を駆動すると、図２中に白抜き矢印で示す吸込口１５から吹出口３３へ向かう方向に、空気の流れが発生する。送風機３の発生した気流は、空気通路２９内を流れ、吸込口１５から吹出口３３へ導かれる。
【００２３】
空気通路２９内には、空気通路２９内を流れる空気を昇温するヒータ４と、正イオンおよび負イオンを発生するイオン発生装置２０とが配置されている。ヒータ４とイオン発生装置２０とは、送風機３に対して空気流れの下流側に、この順に配置されている。送風機３とヒータ４との間には、図示しない駆動回路が配置されている。駆動回路は、送風機３、ヒータ４およびイオン発生装置２０を駆動する。駆動回路が空気通路２９内に配置されているため、空気通路２９を流れる空気によって、駆動回路が冷却される。
【００２４】
図３は、実施の形態１のイオン発生装置２０の構成の概略を示す模式図である。イオン発生装置２０は、基板２１と、第１放電電極２２と、第２放電電極２３とを主に備えている。
【００２５】
基板２１は、電気絶縁性の樹脂材料により形成されている。基板２１は、平板状の形状を有している。基板２１は、平板の一方の表面である表面２１ａと、平板の他方の表面である裏面２１ｂと、平板の縁部分の側面２１ｃとを有している。基板２１は、第１放電電極２２と第２放電電極２３とを搭載している。
【００２６】
第１放電電極２２および第２放電電極２３は、導電性の金属材料により形成されている。第１放電電極２２は、針形状に形成されており、直線状に延在するとともに、先端が尖鋭化された尖端２２ａを有している。第２放電電極２３は、針形状に形成されており、直線状に延在するとともに、先端が尖鋭化された尖端２３ａを有している。第１放電電極２２の中心軸と第２放電電極２３の中心軸とは、同一直線上に位置している。
【００２７】
第１放電電極２２は、基板２１の表面２１ａ上に搭載されている。第１放電電極２２は、尖端２２ａが基板２１の表面２１ａから突出するように、基板２１に固定されている。第２放電電極２３は、基板２１の裏面２１ｂ上に搭載されている。第２放電電極２３は、尖端２３ａが基板２１の裏面２１ｂから突出するように、基板２１に固定されている。
【００２８】
第１放電電極２２と第２放電電極２３とは、それぞれが放電によりイオンを発生する。第１放電電極２２は、放電により正イオンを発生する。第２放電電極２３は、放電により負イオンを発生する。第１放電電極２２と第２放電電極２３とは、異なる電荷のイオンを発生する。第２放電電極２３が正イオンを発生し第１放電電極２２が負イオンを発生してもよい。
【００２９】
図２を併せて参照して、基板２１は、空気通路２９内の空気の流れ方向に沿って配置されている。空気通路２９内に配置された基板２１の表面２１ａおよび裏面２１ｂの面方向は、空気通路２９内の空気の流れ方向と平行である。平板形状の基板２１の厚み方向が空気通路２９内の空気の流れ方向と直交するように、基板２１は空気通路２９内に配置されている。
【００３０】
基板２１は、空気通路２９を２つに仕切っている。仕切られた空間の一方に第１放電電極２２が配置され、当該一方の空間において第１放電電極２２が正イオンを発生する。仕切られた空間の他方に第２放電電極２３が配置され、当該他方の空間において第２放電電極２３が負イオンを発生する。
【００３１】
基板２１は、図示しない支持構造によって、空気通路２９内に支持されている。基板２１は、空気通路２９の内表面のうち互いに対向する２面間の距離と同じ外形寸法を有し、当該対向する２面に亘って配置されてもよい。または基板２１は、空気通路２９の内径よりも小さい外形寸法を有し、支持構造によって空気通路２９の中央部分に支持されてもよい。
【００３２】
図示された第１放電電極２２および第２放電電極２３は、基板２１に支持された根元部から尖端２２ａ，２３ａに向かって径が漸次縮小する錐体状の形状を有している。第１放電電極２２と第２放電電極２３とは、イオンを発生する尖った尖端２２ａ，２３ａを有していれば、任意の形状に形成されてもよい。第１放電電極２２と第２放電電極２３とは、たとえば、基板２１に支持された根元部が柱体状の形状であり、柱体と尖端２２ａ，２３ａを有する錐体とが組み合わされた形状であってもよい。
【００３３】
第１放電電極２２および第２放電電極２３を基板２１に支持するための構造について説明する。図４は、放電電極の根元部の構成の第１の例を示す断面図である。図４および後述する図５では、第１放電電極２２を例として説明するが、第２放電電極２３も第１放電電極２２と同様の構造を用いて基板２１に支持されている。
【００３４】
図４に示す第１の例の第１放電電極２２は、根元部において径が拡大している。第１放電電極２２は、尖端２２ａと反対側の端部が平板状に形成された板状部２２ｂを有している。板状部２２ｂが基板２１の表面２１ａに面接触し、さらに半田２５を用いて固定されることにより、第１放電電極２２は基板２１の表面２１ａ上に搭載されている。
【００３５】
基板２１の表面２１ａには金属材料によるパターン２４が形成されており、半田２５はパターン２４と第１放電電極２２とを電気的に接続する機能を有している。パターン２４および半田２５を経由して、第１放電電極２２に高電圧が印加されることにより、第１放電電極２２は尖端２２ａにおいてイオンを発生する。
【００３６】
図５は、放電電極の根元部の構成の第２の例を示す断面図である。図５に示す第２の例の第１放電電極２２は、尖端２２ａと反対側の端部が曲げられた屈曲部２２ｃを有している。屈曲部２２ｃは、基板２１の表面２１ａに沿って延びている。屈曲部２２ｃが基板２１の表面２１ａに接触し、さらに半田２５を用いて固定されることにより、第１放電電極２２は基板２１の表面２１ａ上に搭載されている。図４に示す例と同様に、図５に示す第１放電電極２２は、半田２５によってパターン２４と電気的に接続されている。
【００３７】
図６は、イオン発生装置２０の構成を示す回路図である。図６に示すように、イオン発生装置２０は、第１放電電極２２および第２放電電極２３の他に、端子Ｔ１，Ｔ２、高電圧発生回路９０、および誘導電極９９を備えている。
【００３８】
誘導電極９９は、基板２１の表面２１ａおよび裏面２１ｂの両方に、第１放電電極２２および第２放電電極２３の両方から離れて配置されている。基板２１の表面２１ａおよび裏面２１ｂ上に形成された導体パターンが、誘導電極９９を構成してもよい。または、基板２１の表面２１ａおよび裏面２１ｂに、板状、棒状または針状の導電性の金属部材が搭載され、この金属部材が誘導電極９９を構成してもよい。
【００３９】
基板２１の表面２１ａと裏面２１ｂとに、同電位の誘導電極９９が別々に設けられてもよい。基板２１の表面２１ａに設けられた誘導電極９９と、基板２１の裏面２１ｂに設けられた誘導電極９９とが、基板２１を厚み方向に貫通するスルーホールビアを介して、電気的に接続されていてもよい。一体の誘導電極９９が、基板２１を厚み方向に貫通し表面２１ａと裏面２１ｂとの両方に露出するように設けられてもよい。
【００４０】
高電圧発生回路９０は、第１放電電極２２および第２放電電極２３を搭載している基板２１の、表面２１ａまたは裏面２１ｂのいずれか一方に、第１放電電極２２および第２放電電極２３の両方から離れて設けられてもよい。または、基板２１とは異なる基板に高電圧発生回路９０が設けられ、高電圧発生回路９０を搭載する基板と基板２１に形成されたパターン２４とがコネクタによって電気的に接続されてもよい。
【００４１】
高電圧発生回路９０は、昇圧回路９１、昇圧トランス９２、およびダイオード９３，９４を有している。昇圧回路９１は、ダイオード、抵抗素子およびＮＰＮバイポーラトランジスタなどを適宜含んで構成されている。昇圧トランス９２は、一次巻線９２ａと、二次巻線９２ｂとを含んでいる。ダイオード９３，９４は、整流のために設けられている。二次巻線９２ｂの一端は、ダイオード９３，９４を介して、第１放電電極２２および第２放電電極２３に電気的に接続されている。二次巻線９２ｂの他端は、誘導電極９９に電気的に接続されている。
【００４２】
昇圧トランス９２は、第１放電電極２２および第２放電電極２３のそれぞれに印加される正または負の高電圧を発生する。端子Ｔ１，Ｔ２間に電圧が印加されると、ダイオード９３を介して正の高電圧パルスが第１放電電極２２に印加され、ダイオード９４を介して負の高電圧パルスが第２放電電極２３に印加される。これにより、第１放電電極２２と誘導電極９９の間、および第２放電電極２３と誘導電極９９との間にコロナ放電が発生し、第１放電電極２２が正イオンを発生し、第２放電電極２３が負イオンを発生する。
【００４３】
なお、正イオンは、水素イオン（Ｈ＋）の周囲に複数の水分子が付随したクラスターイオンであり、Ｈ＋（Ｈ２Ｏ）ｍ（ｍは０以上の任意の整数）と表わされる。負イオンは、酸素イオン（Ｏ２−）の周囲に複数の水分子が付随したクラスターイオンであり、Ｏ２−（Ｈ２Ｏ）ｎ（ｎは０以上の任意の整数）と表わされる。正イオンおよび負イオンを放出すると、両イオンが空気中を浮遊するカビ菌やウィルスの周りを取り囲み、その表面上で互いに化学反応を起こす。その際に生成される活性種の水酸化ラジカル（・ＯＨ）の作用により、浮遊カビ菌などが除去される。
【００４４】
図２を併せて参照して、第１放電電極２２が発生した正イオン、および第２放電電極２３が発生した負イオンは、空気通路２９を通過して流れる空気によって搬送され、空気通路２９が外部に開口する吹出口３３から放出される。第１放電電極２２と第２放電電極２３との間に、電気絶縁性の基板２１が介在しており、正イオンの発生する空間と負イオンの発生する空間とが基板２１によって仕切られている。これにより、第１放電電極２２および第２放電電極２３の近傍における正イオンと負イオンとの早期結合による消滅を抑制できるので、吹出口３３から高濃度の正イオンおよび負イオンを放出することが可能になっている。
【００４５】
（実施の形態２）
図７は、実施の形態２のイオン発生装置２０構成の概略を示す部分断面図である。図７に示す実施の形態２のイオン発生装置２０は、実施の形態１と同じ第１放電電極２２および第２放電電極２３を備えている。しかし、実施の形態２のイオン発生装置２０は、基板２１の構成において、実施の形態１と異なっている。
【００４６】
図７に示す基板２１は、平板状の形状を有している。基板２１は、図３に示す実施の形態１の基板２１と比較して、厚みが小さくなっている。基板２１の表面２１ａと裏面２１ｂとの間の絶縁耐圧を確保するために、実施の形態２の基板２１の内部には、絶縁材２６が埋め込まれている。絶縁材２６は、基板２１よりも高い絶縁耐圧を有する材料により形成されている。たとえば絶縁材２６は、セラミック材料製であってもよい。
【００４７】
絶縁材２６は、平板状の形状を有している。絶縁材２６の厚みは、基板２１の厚みよりも小さい。絶縁材２６は、その外表面の全体が基板２１によって覆われている。絶縁材２６は、基板２１の表面２１ａ、裏面２１ｂまたは側面２１ｃに露出しないように、全体が基板２１の内部に埋め込まれている。
【００４８】
（実施の形態３）
図８は、実施の形態３のイオン発生装置２０の構成の概略を示す模式図である。図９は、実施の形態３のイオン発生装置２０を構成している基板２１の斜視図である。図８に示す実施の形態３のイオン発生装置２０は、実施の形態１と同じ第１放電電極２２および第２放電電極２３を備えている。しかし、実施の形態３のイオン発生装置２０は、基板２１の構成において、実施の形態１と異なっている。
【００４９】
図８，９に示す基板２１では、図３に示す実施の形態１の基板２１と比較して、表面２１ａおよび裏面２１ｂの表面積が減少している。第１放電電極２２と第２放電電極２３との間の沿面距離を確保するために、実施の形態３の基板２１には、側面２１ｃにスリット溝２１ｄが形成されている。スリット溝２１ｄは、基板２１の側面２１ｃの一部が窪んだ形状に形成されている。スリット溝２１ｄは、図９に示すように、基板２１の周方向に沿って延びている。
【００５０】
スリット溝２１ｄは、基板２１の側面２１ｃにのみ開口しており、表面２１ａおよび裏面２１ｂには開口していない。スリット溝２１ｄは、基板２１を厚み方向に見た場合には、表面２１ａと裏面２１ｂとのいずれの側からも視認することができない。スリット溝２１ｄは、実施の形態１の平坦な側面２１ｃと比較して、表面２１ａと裏面２１ｂとの間の、側面２１ｃとスリット溝２１ｄの内部とに沿う沿面距離を増加するために、形成されている。
【００５１】
（実施の形態４）
図１０は、実施の形態４のイオン発生装置２０の構成の概略を示す模式図である。図１０に示す実施の形態４のイオン発生装置２０は、実施の形態１と同じ基板２１、第１放電電極２２および第２放電電極２３を備えている。しかし、実施の形態４のイオン発生装置２０は、第１放電電極２２および第２放電電極２３の配置において、実施の形態１と異なっている。
【００５２】
図１０に示す基板２１は、表面２１ａと裏面２１ｂとを有しており、表面２１ａ上に第１放電電極２２が搭載され、裏面２１ｂ上に第２放電電極２３が搭載されている。第１放電電極２２と第２放電電極２３とは、基板２１の表面２１ａおよび裏面２１ｂの面方向にずれて配置されている。第１放電電極２２と第２放電電極２３とは、それぞれの軸方向が互いに平行になるように、配置されている。
【００５３】
図１０中に示す白抜き矢印は、図２と同様の、空気通路２９内の空気の流れ方向を示している。空気の流れ方向に沿って、第１放電電極２２と第２放電電極２３とが順に並んで配置されている。図１０では、空気の流れ方向の上流側に第１放電電極２２が配置され、下流側に第２放電電極２３が配置されている。図１０に示す構成に替えて、空気の流れ方向の上流側に第２放電電極２３が配置され、下流側に第１放電電極２２が配置されていてもよい。
【００５４】
（実施の形態５）
図１１は、実施の形態５のイオン発生装置２０の空気通路２９内の配置を示す模式図である。図１１に示す実施の形態５のイオン発生装置２０は、実施の形態４と同じ、第１放電電極２２と第２放電電極２３とを基板２１の表面２１ａおよび裏面２１ｂの面方向にずらして配置した構成を有している。しかし、実施の形態５のイオン発生装置２０は、空気通路２９内の配置において、実施の形態４と異なっている。
【００５５】
図１１中に示す白抜き矢印は、空気通路２９内の空気の流れ方向を示している。第１放電電極２２と第２放電電極２３とは、空気の流れ方向において、同じ位置に配置されている。第１放電電極２２と第２放電電極２３とは、空気の流れ方向に直交する方向に沿って、順に並んで配置されている。
【００５６】
（実施の形態６）
図１２は、実施の形態６のイオン発生装置２０の構成の概略を示す模式図である。図１２に示す実施の形態６のイオン発生装置２０は、第１放電電極２２および第２放電電極２３の形状において、実施の形態４と異なっている。実施の形態１〜５の第１放電電極２２および第２放電電極２３と異なり、図１２に示す実施の形態６の第１放電電極２２と第２放電電極２３とは、屈曲した形状を有している。
【００５７】
第１放電電極２２は、基部２２１と先端部２２２とを有している。基部２２１は、基板２１に支持されており、基板２１の表面２１ａに対して垂直に延びている。先端部２２２は、基部２２１に対して直交して延び、基板２１の表面２１ａに対して間隔をあけて、表面２１ａと平行に延びている。先端部２２２の、基部２２１に連結する端部と反対側の端部に、尖端２２ａが形成されている。
【００５８】
第２放電電極２３は、基部２３１と先端部２３２とを有している。基部２３１は、基板２１に支持されており、基板２１の裏面２１ｂに対して垂直に延びている。先端部２３２は、基部２３１に対して直交して延び、基板２１の裏面２１ｂに対して間隔をあけて、裏面２１ｂと平行に延びている。先端部２３２の、基部２３１に連結する端部と反対側の端部に、尖端２３ａが形成されている。
【００５９】
第１放電電極２２の基部２２１と、第２放電電極２３の基部２３１とは、互いに平行に配置されている。第１放電電極２２の先端部２２２と、第２放電電極２３の先端部２３２とは、互いに平行に配置されている。第１放電電極２２の尖端２２ａと第２放電電極２３の尖端２３ａとは、同じ方向に向いている。第１放電電極２２の尖端２２ａと第２放電電極２３の尖端２３ａとは、空気の流れの風下側に向いている。
【００６０】
実施の形態のイオン発生装置２０、および電気機器の一例としてのヘアドライヤー１の構成および作用効果についてまとめて説明すると、以下の通りである。なお、実施の形態の構成に参照番号を付すが、これは一例である。
【００６１】
本実施の形態に係るイオン発生装置２０は、図３に示すように、基板２１と、第１放電電極２２と、第２放電電極２３とを備えている。基板２１は、表面２１ａと、裏面２１ｂと、側面２１ｃとを有している。第１放電電極２２は、放電により正イオンを発生する。第２放電電極２３は、放電により負イオンを発生する。第１放電電極２２は、基板２１の表面２１ａに搭載されている。第２放電電極２３は、基板２１の裏面２１ｂに搭載されている。
【００６２】
基板２１の表面２１ａと裏面２１ｂとに、正負の第１放電電極２２および第２放電電極２３を別々に配置することで、基板２１が空気通路２９を分ける役割をもつ。基板２１は絶縁材料製であり、第１放電電極２２で発生した正イオンと第２放電電極２３で発生した負イオンとは、絶縁壁によって仕切られている。そのため、第１放電電極２２または第２放電電極２３付近での正イオンと負イオンとの結合による消滅を抑制でき、空気通路２９の吹出口３３から外部空間へ高濃度のイオンを放出することができる。
【００６３】
第１放電電極２２および第２放電電極２３で発生するイオン濃度を高めても、従来のイオン発生装置のように正負の放電電極間の距離を大きくする必要はなく、第１放電電極２２および第２放電電極２３を同じ配置にできる。したがって、イオン発生装置２０の小型化が可能となり、イオン発生装置２０の配置に係る設計の自由度を向上することができる。
【００６４】
好ましくは、図７に示すように、イオン発生装置２０は、基板２１よりも高い絶縁耐性を有する絶縁材２６を備えている。絶縁材２６は、基板２１の内部に埋め込まれている。第１放電電極２２と第２放電電極２３とが、基板２１を挟んで、互いの軸方向を同一にして配置されていると、たとえば基板２１の厚みを小さくする場合など、基板２１の絶縁性が十分でなく基板２１を介して放電が発生する可能性がある。そこで、基板２１内に絶縁材２６を埋め込み、基板２１および絶縁材２６による絶縁耐性を高めることにより、第１放電電極２２と第２放電電極２３との間の絶縁性を十分に確保することができる。
【００６５】
好ましくは、図８，９に示すように、基板２１の側面２１ｃに、側面２１ｃが基板２１の周方向に沿って窪んだスリット溝２１ｄが形成されている。たとえば基板２１の表面２１ａおよび裏面２１ｂの表面積を小さくする場合において、側面２１ｃが平坦な形状であると、第１放電電極２２と第２放電電極２３との間の沿面距離が十分でなく沿面放電が発生する可能性がある。そこで、側面２１ｃにスリット溝２１ｄを形成し、第１放電電極２２と第２放電電極２３との間の沿面距離を増大することにより、第１放電電極２２と第２放電電極２３との間の沿面放電をより確実に防止することができる。
【００６６】
第１放電電極２２と第２放電電極２３との間の沿面距離を増大するためには、基板２１から突出するリブを形成することも考えられるが、リブが基板２１から突き出るとイオン発生装置２０が大型化し、またリブによって空気の流れが妨げられることが考えられる。そのため、スリット溝２１ｄを形成して沿面距離を増大するほうが、より好ましい。
【００６７】
好ましくは、図１０，１１に示すように、第１放電電極２２と第２放電電極２３とは、基板２１の表面２１ａおよび裏面２１ｂの面方向に、ずらして配置されている。このようにすれば、第１放電電極２２と第２放電電極２３とが互いの軸方向を同一にして配置されている場合と比較して、第１放電電極２２と第２放電電極２３との間の絶縁性をより高めることができる。
【００６８】
空気通路２９は空気の流れ方向に延びているので、図１０に示すように第１放電電極２２と第２放電電極２３とを空気の流れ方向にずらして配置しても、装置全体の寸法には影響しないため、更なる小型化が可能になる。一方、図１１に示すように第１放電電極２２と第２放電電極２３とを空気の流れ方向に直交する方向にずらして配置することにより、第１放電電極２２と第２放電電極２３との両方へ高電圧を印加するための回路の配置計画および製造が容易になる。
【００６９】
好ましくは、図１２に示すように、第１放電電極２２は基板２１の表面２１ａと平行に延びる先端部２２２を有しており、第２放電電極２３は基板２１の裏面２１ｂと平行に延びる先端部２３２を有している。このようにすれば、基板２１の厚み方向における第１放電電極２２および第２放電電極２３の寸法を低減できるので、イオン発生装置２０をさらに小型化することができる。
【００７０】
好ましくは、図１２に示すように、第１放電電極２２の先端部２２２と第２放電電極２３の先端部２３２とは平行に配置されており、第１放電電極２２の尖端２２ａと第２放電電極２３の尖端２３ａとは同方向に向いている。
【００７１】
尖端２２ａ，２３ａが空気の流れ方向の下流側に向くようにイオン発生装置２０を空気通路２９内に配置すれば、尖端２２ａ，２３ａにおける放電の方向と空気の流れ方向とを一致することができ、より効率よくイオンを搬送できるので、より高濃度のイオンを放出することが可能になる。加えて、尖端２２ａ，２３ａへのごみの付着を低減できるので、尖端２２ａ，２３ａで発生するイオン濃度が経時後に低下することを抑制でき、イオン発生装置２０の信頼性およびメンテナンス性を向上することができる。
【００７２】
電気機器の一例としてのヘアドライヤー１は、図２に示すように、送風機３と、送風機３の発生した気流が流れる空気通路２９と、空気通路２９内に配置されたイオン発生装置２０とを備えている。このようにすれば、高濃度のイオンをヘアドライヤー１の吹出口３３から放出することができる。また、イオン発生装置２０が小型化されているために、イオン発生装置２０を備えているヘアドライヤー１のデザイン上の自由度を向上することができる。
【００７３】
以上のように本発明の実施の形態について説明を行なったが、各実施の形態の構成を適
宜組み合わせてもよい。また、今回開示された実施の形態はすべての点で例示であって、制限的なものではないと考えられるべきである。この発明の範囲は上記した説明ではなくて特許請求の範囲によって示され、特許請求の範囲と均等の意味、および範囲内でのすべての変更が含まれることが意図される。
【符号の説明】
【００７４】
１  ヘアドライヤー、３  送風機、４  ヒータ、１０  把持部、１２  操作部、１５  吸込口、１７  電源コード、１８，１９  操作スイッチ、２０  イオン発生装置、２１  基板、２１ａ  表面、２１ｂ  裏面、２１ｃ  側面、２１ｄ  スリット溝、２２  第１放電電極、２２ａ，２３ａ  尖端、２２ｂ  板状部、２２ｃ  屈曲部、２３  第２放電電極、２４  パターン、２５  半田、２６  絶縁材、２９  空気通路、３０  ブラシ部、３１  ブラシ毛、３３，３３ａ，３３ｂ  吹出口、９０  高電圧発生回路、９１  昇圧回路、９２  昇圧トランス、９２ａ  一次巻線、９２ｂ  二次巻線、９３，９４  ダイオード、９９  誘導電極、２２１，２３１  基部、２２２，２３２  先端部、Ｔ１，Ｔ２  端子。
【図１】
2016139546.tif 000003
【図２】
2016139546.tif 000004
【図３】
2016139546.tif 000005
【図４】
2016139546.tif 000006
【図５】
2016139546.tif 000007
【図６】
2016139546.tif 000008
【図７】
2016139546.tif 000009
【図８】
2016139546.tif 000010
【図９】
2016139546.tif 000011
【図１０】
2016139546.tif 000012
【図１１】
2016139546.tif 000013
【図１２】
2016139546.tif 000014